(57)【特許請求の範囲】
【請求項１】
楽曲データベースを有し、楽曲を歌唱するアーティストが特定でき、利用者毎の歌唱履歴を楽曲に紐づけて蓄積するネットワークカラオケシステムにおいて、
特定のアーティストに紐づく告知情報を、
当該アーティストの楽曲及び当該アーティストの楽曲を歌唱した人が歌唱している他のアーティストのうち、
一定の基準を満たしたアーティストの楽曲の、歌唱終了時に表示させることを特徴とするネットワークカラオケシステム。
【請求項２】
楽曲データベースを有し、楽曲を歌唱するアーティストが特定でき、利用者毎の歌唱履歴を楽曲に紐づけて蓄積するネットワークカラオケシステムにおいて、
特定のアーティスト１に紐づく告知情報を、
当該特定アーティスト１の楽曲の歌唱終了時と、
当該アーティスト１の楽曲を歌唱した人が歌唱している他のアーティストのうち、
一定の基準を満たしたアーティスト２の楽曲の歌唱終了時に、どのアーティストの楽曲を歌唱したかによって告知情報の内容を制御して表示させることを特徴とするネットワークカラオケシステム。
【請求項３】
前記請求項２記載のネットワークカラオケシステムにおいて、ある歌唱者がアーティスト２の楽曲を歌唱したとき、
当該歌唱者が、アーティスト１の楽曲を歌唱していない場合と、
当該歌唱者が、アーティスト１の楽曲も歌唱している場合で、
告知情報の内容を制御して表示させることを特徴とする請求項２記載のネットワークカラオケシステム。
【発明の詳細な説明】
【技術分野】
【０００１】
この発明は、通信カラオケシステムにおいて、利用者に、特定のアーティストの楽曲歌唱後に特定のアーティストの告知情報を伝える技術に関する。
【背景技術】
【０００２】
カラオケ店においては、歌唱予約の無い曲間に、カラオケ装置を使用してアーティストや新曲の紹介、カラオケ機器の機能や各種メニュー紹介等が一般的に行われている。
【０００３】
上記の各種紹介は、一般には、ある楽曲の歌唱が終了した時に、次の予約が入っていなければ挿入される曲間の告知となる場合と、また特定の楽曲に紐づいて演奏直後に挿入される場合がある。
前者は機械的に挿入されるため直前の楽曲と無関係な内容になるのに対し、後者は直前の楽曲に関連したアーティストの情報である場合が多い。
【先行技術文献】
【特許文献】
【０００４】
【特許文献１】特開平09-114470号公報
【特許文献２】特開2002-116774号公報
【発明の概要】
【発明が解決しようとする課題】
【０００５】
特許文献１は、ＣＭや新譜情報などを上映するための情報ファイルをメンテナンスできる通信カラオケ装置の情報ファイル管理方法および通信カラオケ装置を提供する。
通信カラオケ装置の記憶部には、楽曲ファイル記憶エリア、情報ファイル記憶エリア、必要情報ファイルリスト記憶エリアなどが設定されている。情報ファイルはコンサート情報や店舗・商品などの広告などの情報を上映するものであり、楽曲ファイルによるカラオケ演奏の合間に上映される。
【０００６】
特許文献２は、カラオケ装置本体に設けられているディスプレイを用いて各種の情報やＣＭを表示するようにしたカラオケ装置を提供する。
カラオケ曲に関するタイアップ商品やタイアップ番組などの情報を曲情報テーブルに記憶し、オリジナル歌手のコンサート情報や新曲リリース情報などの情報を歌手情報テーブルに記憶しておく。カラオケ曲がリクエストされたとき、その曲番号に基づいて曲情報テーブルおよび歌手情報テーブルを検索し、曲の演奏中に装置本体の正面に設けられているディスプレイにスクロール表示し、ディスプレイの有効利用を図る。
【０００７】
しかし、例えば楽曲の直後に当該楽曲のアーティストにまつわる告知情報を挿入しても、当該楽曲の歌唱者はその楽曲の歌手のファンであることも多く、告知の効果としてはあまり期待できるものではない。
【０００８】
一方、ある歌手の楽曲歌唱後に、当該歌手と直接関連のない他の歌手の告知情報を流すことは、機械的な告知情報の挿入以外で、意図的に行われることはなかった。
【０００９】
しかし、歌手甲の楽曲と歌手乙の楽曲の双方を歌唱している歌唱者が一定数いる場合、当該歌手甲の楽曲を歌唱した歌唱者は、歌手乙の情報に関心を持ち次回以降歌手乙の楽曲を歌う可能性もあるものである。
【００１０】
特許文献１は楽曲の合間に、特許文献２は楽曲の演奏中にＣＭを挿入するというアイディアであるが、直前に歌唱された楽曲と紐づけ、利用者の選曲動向を分析して歌唱レパートリを拡大させるなどネットワークカラオケの利点を生かした告知にはなっていない。
【課題を解決するための手段】
【００１２】
上記課題を解決するため、本発明の請求項１は、
楽曲データベースを有し、楽曲を歌唱するアーティストが特定でき、利用者毎の歌唱履歴を楽曲に紐づけて蓄積するネットワークカラオケシステムにおいて、
特定のアーティストに紐づく告知情報を、
当該アーティストの楽曲及び当該アーティストの楽曲を歌唱した人が歌唱している他のアーティストのうち、
一定の基準を満たしたアーティストの楽曲の、歌唱終了時に表示させることを特徴とするネットワークカラオケシステムである。
【００１３】
本発明の請求項２は、
楽曲データベースを有し、楽曲を歌唱するアーティストが特定でき、利用者毎の歌唱履歴を楽曲に紐づけて蓄積するネットワークカラオケシステムにおいて、
特定のアーティスト１に紐づく告知情報を、
当該特定アーティスト１の楽曲の歌唱終了時と、
当該アーティスト１の楽曲を歌唱した人が歌唱している他のアーティストのうち、
一定の基準を満たしたアーティスト２の楽曲の歌唱終了時に、どのアーティストの楽曲を歌唱したかによって告知情報の内容を制御して表示させることを特徴とするネットワークカラオケシステムである。
【００１４】
本発明の請求項３は、
前記請求項２記載のネットワークカラオケシステムにおいて、ある歌唱者がアーティスト２の楽曲を歌唱したとき、
当該歌唱者が、アーティスト１の楽曲を歌唱していない場合と、
当該歌唱者が、アーティスト１の楽曲も歌唱している場合で、
告知情報の内容を制御して表示させることを特徴とする請求項２記載のネットワークカラオケシステムである。
【発明の効果】
【００１５】
これにより、特定の歌手甲の楽曲を歌唱している利用者には歌手甲の、よりマニアックな情報を、歌手甲の楽曲は歌唱していないが甲に関心を持つ可能性のある利用者には歌手甲をよく知らないことを前提に紹介する情報を告知するなど、歌手甲を認知している利用者及び歌手甲は知らないが今後認知する可能性を秘めている利用者に対し、それぞれの属性に応じた告知内容とすることにより、利用者への貴重な告知機会を有効に活用できるようになる。
【図面の簡単な説明】
【００１６】
【図１】本発明の歌手甲、歌手乙の楽曲を歌唱した歌唱者の重なりを示した説明図。
【発明を実施するための形態】
【００１７】
本発明の請求項１は、ある楽曲が歌唱された場合、その歌唱後に当該歌手の告知情報だけでなく、当該歌手以外の歌手の告知情報をも提供するというものであり、例えば新人歌手の告知情報などを提供することで、歌唱者やファンを開拓しようとするものである。
【００１８】
本発明の請求項２のイメージを図１で説明する。
ある利用者イが、歌手甲の楽曲Ａを歌唱したとする。
ネットワークカラオケシステムは過去の歌唱履歴として、歌手甲の楽曲Ａを歌唱した他の利用者が、他にどんな曲を歌唱したかを抽出することができる。
図１において、甲の楽曲を歌唱した利用者層の一部が、乙の楽曲を歌唱した利用者層と重なり（図１の２の層）が一定数あった場合、甲の楽曲を好む人と乙の楽曲を好む人との間には例えば共通点のようなものがあり、現時点で乙の楽曲を歌っているが甲の楽曲を歌っていない人（図１の３の層）に甲の楽曲を教えてあげれば、甲の楽曲が好きになる可能性を含んでいると言える。そこで、乙の楽曲の歌唱者層３に歌手甲の告知情報を提供するというものである。
【００１９】
また本発明の請求項３は、歌手甲の楽曲を歌唱した層の一定数（図１の２の層）が歌手乙の楽曲も歌唱している請求項２のようなときに歌手甲の告知情報を、歌手乙の楽曲歌唱者層に告知する場合、歌手甲の楽曲を歌唱した利用者と、歌手甲の楽曲を歌唱していない利用者とで、前者には歌手甲を熟知していることを前提にした告知情報を、後者には歌手甲を紹介するような告知情報といったように違った内容の告知を行うというものである。
【００２０】
請求項４では、歌手甲の楽曲と歌手乙の楽曲の関係において、歌手甲の楽曲も歌手乙の楽曲も双方歌唱したことのある層２、及び歌手乙の楽曲を歌唱していて歌手甲の楽曲を歌唱していない層３のそれぞれの層に歌手甲の告知を違った型で行うというものである。
【産業上の利用可能性】
【００２１】
これにより、歌手乙の歌唱者に歌手甲に対する関心を引かせ、歌唱者層の拡大に貢献できる。
またここで図１においての「歌手甲の楽曲を歌唱した層」を「歌手甲の楽曲Ａを歌唱した層」へ、「歌手乙の楽曲を歌唱した層」を「歌手乙の楽曲Ｂを歌唱した層」としてもよく、その場合、より絞り込んだ層への告知ができる。
【符号の説明】
【００２２】
１・・・歌手甲の楽曲を歌唱しているが歌手乙の楽曲を歌唱していない層
２・・・歌手甲の楽曲も歌手乙の楽曲も双方歌唱した層
３・・・歌手乙の楽曲を歌唱していて歌手甲の楽曲を歌唱していない層
【図１】
0006602596.tif 000002